(57)【要約】 【課題】  着信先の移動局50へ着信情報を送信する着信呼出処理において、着信情報を送信するセル及びセクタを限定することにより、無線リソース及び処理能力の効率向上を実現しつつ、移動局50宛の着信情報を確実に移動局50に到達させることができる移動通信システム1、交換機20、無線制御装置30、移動通信方法を実現する。 【解決手段】  本発明に係る移動通信システム1は、移動局50が存在するセクタと当該移動局50に提供する通信サービスを特定するサービス識別情報とを関連付けて記憶するエリア情報記憶部22、32と、ネットワーク2から受信した着信情報に、サービス識別情報が含まれているか否かを判断する判断部23、33と、前記判断部23、33が、前記着信情報にサービス識別情報が含まれていると判断した場合、エリア情報記憶部22、32でサービス識別情報と関連付けられている前記セクタへ、前記着信情報を送信する通信処理部21、31とを具備する。  【選択図】  図１
2007082142.tif 000002
【特許請求の範囲】
【請求項１】
ネットワークから受信した着信情報に応じて、着信先の移動局に対する着信呼出処理を行う移動通信システムであって、
前記移動局が存在するセクタと当該移動局に提供する通信サービスを特定するサービス識別情報とを関連付けて記憶するエリア情報記憶部と、
前記ネットワークから受信した着信情報に、サービス識別情報が含まれているか否かを判断する判断部と、
前記判断部が、前記着信情報に前記サービス識別情報が含まれていると判断した場合、前記エリア情報記憶部で前記サービス識別情報と関連付けられている前記セクタへ、前記着信情報を送信する通信処理部と
を具備することを特徴とする移動通信システム。
【請求項２】
前記判断部が、前記着信情報に前記サービス識別情報が含まれていないと判断した場合、複数の前記セクタで形成され加入者識別情報に関連付けられているページングエリアへ、前記着信情報を送信する通信処理部と
を具備することを特徴とする請求項１に記載の移動通信システム。
【請求項３】
前記エリア情報記憶部は、一定期間通信が行われないセクタを削除することを特徴とする請求項１に記載の移動通信システム。
【請求項４】
ネットワークから受信した着信情報に応じて、着信先の移動局に対する着信呼出処理を行う移動通信システムであって、
前記移動局から、位置の登録要求を受けて、前記移動局が存在するセクタと前記移動局の加入者識別情報とを関連付けて記憶するエリア情報記憶部と、
前記ネットワークから受信した着信情報に含まれる加入者識別情報が、前記エリア情報記憶部に記憶されているか否かを判断する判断部と、
前記判断部が、前記エリア情報情報記憶部に前記加入者識別情報が記憶されていると判断した場合、前記エリア情報記憶部で前記加入者識別情報と関連付けられる前記セクタへ、前記着信情報を送信する通信処理部と
を具備することを特徴とする移動通信システム。
【請求項５】
前記通信処理部は、前記判断部が、前記エリア情報情報記憶部に前記加入者識別情報が記憶されていないと判断した場合、複数の前記セクタで形成されるページングエリアへ、前記着信情報を送信することを特徴とする請求項４に記載の移動通信システム。
【請求項６】
ネットワークから受信した着信情報に応じて、着信先の移動局に対する着信呼出処理を行う交換機であって、
前記移動局が存在するセクタと当該移動局に提供する通信サービスを特定するサービス識別情報とを関連付けて記憶するエリア情報記憶部と、
前記ネットワークから受信した着信情報に、サービス識別情報が含まれているか否かを判断する判断部と、
前記判断部が、前記着信情報に前記サービス識別情報が含まれていると判断した場合、前記エリア情報記憶部で前記サービス識別情報と関連付けられている前記セクタへ、前記着信情報を送信する通信処理部と
を具備することを特徴とする交換機。
【請求項７】
ネットワークから受信した着信情報に応じて、着信先の移動局に対する着信呼出処理を行う交換機であって、
前記移動局から、位置の登録要求を受けて、前記移動局が存在するセクタと前記移動局の加入者識別情報とを関連付けて記憶するエリア情報記憶部と、
前記ネットワークから受信した着信情報に含まれる加入者識別情報が、前記エリア情報記憶部に記憶されているか否かを判断する判断部と、
前記判断部が、前記エリア情報情報記憶部に前記加入者識別情報が記憶されていると判断した場合、前記エリア情報記憶部で前記加入者識別情報と関連付けられる前記セクタへ、前記着信情報を送信する通信処理部と
を具備することを特徴とする交換機。
【請求項８】
ネットワークから受信した着信情報に応じて、着信先の移動局に対する着信呼出処理を行う無線制御装置であって、
前記移動局が存在するセクタと当該移動局に提供する通信サービスを特定するサービス識別情報とを関連付けて記憶するエリア情報記憶部と、
前記ネットワークから受信した着信情報に、サービス識別情報が含まれているか否かを判断する判断部と、
前記判断部が、前記着信情報に前記サービス識別情報が含まれていると判断した場合、前記エリア情報記憶部で前記サービス識別情報と関連付けられている前記セクタへ、前記着信情報を送信する通信処理部と
を具備することを特徴とする無線制御装置。
【請求項９】
ネットワークから受信した着信情報に応じて、着信先の移動局に対する着信呼出処理を行う無線制御装置であって、
前記移動局から、位置の登録要求を受けて、前記移動局が存在するセクタと前記移動局の加入者識別情報とを関連付けて記憶するエリア情報記憶部と、
前記ネットワークから受信した着信情報に含まれる加入者識別情報が、前記エリア情報記憶部に記憶されているか否かを判断する判断部と、
前記判断部が、前記エリア情報情報記憶部に前記加入者識別情報が記憶されていると判断した場合、前記エリア情報記憶部で前記加入者識別情報と関連付けられる前記セクタへ、前記着信情報を送信する通信処理部と
を具備することを特徴とする無線制御装置。
【請求項１０】
ネットワークから受信した着信情報に応じて、着信先の移動局に対する着信呼出処理を行う移動通信方法であって、
前記移動局から、当該移動局に提供する通信サービスに関するサービス識別情報を受けて、前記移動局が存在するセクタと前記サービス識別情報とを関連付けて記憶するエリア情報記憶ステップと、
前記ネットワークから受信した着信情報に、サービス識別情報が含まれているか否かを判断する判断ステップと、
前記判断部が、前記着信情報に前記サービス識別情報が含まれていると判断した場合、前記エリア情報記憶部で前記サービス識別情報と関連付けられている前記セクタへ、前記着信情報を送信する通信処理ステップとを具備することを特徴とする移動通信方法。
【発明の詳細な説明】
【技術分野】
【０００１】
本発明は、ネットワークから受信した着信情報に応じて、着信先の移動局に対する着信呼出処理を行う移動通信システム、交換機、無線制御装置及び移動通信方法に関する。
【背景技術】
【０００２】
従来、移動通信システム1は、図１７に示すような、移動局50宛の着信情報を移動局50へ到達させる着信呼出処理を行うため、移動局50の位置を複数のセル及びセクタによって形成されているページングエリア毎に管理するように構成されている。
【０００３】
かかる移動通信システム1は、移動局50の位置をページングエリア毎に管理する必要があるため、移動局50がページングエリアを越えて移動する度に、移動局50から送信されるエリア登録情報を受信して、当該エリア登録情報に含まれる移動局50の加入者識別情報と、移動局50が存在するページングエリアを識別するページングエリア識別情報とを関連付けて、加入者データベースに記憶するエリア登録処理を行うように構成されている。
【０００４】
そして、移動局50へ着信情報を到達させる着信呼出処理において、ネットワークから送信された移動局50宛の着信情報を受信した移動通信システム1は、前記加入者データベースを参照して、受信した着信情報に含まれる移動局50の加入者識別情報と関連付けられているページングエリアを特定し、当該ページングエリアに当該着信情報を一斉に送信するように構成されている。
【０００５】
その結果、従来の移動通信システム1では、複数のセクタによってページングエリアが形成されているため、移動局50の移動によるエリア登録処理の回数を減らし、移動通信システム1の無線制御装置30や基地局40の通信処理負荷を軽減しつつ、移動局50宛の着信情報を確実に移動局へ到達させることができる。
【特許文献１】特開平3-40527号公報
【発明の開示】
【発明が解決しようとする課題】
【０００６】
しかしながら、上記した移動通信システム1は、着信呼出処理において、ページングエリアのすべてのセル及びセクタに対して着信情報を送信するので、着信先の移動局50が存在しないセル及びセクタに対しても着信情報を送信してしまい、無線リソースや処理能力を、余剰に使用してしまうという問題点があった。
【０００７】
そこで、本発明は以上の点に鑑みてなされたもので、移動通信システムにおける着信呼出処理において、着信情報を送信するセル及びセクタを限定することにより、無線リソース及び処理能力の効率向上を実現しつつ、移動局50宛の着信情報を確実に移動局に到達させることができる移動通信システム、交換機、無線制御装置、移動通信方法を提供することを目的とする。
【課題を解決するための手段】
【０００８】
本発明の第１の特徴は、ネットワークから受信した着信情報に応じて、着信先の移動局に対する着信呼出処理を行う移動通信システムであって、前記移動局が存在するセクタと当該移動局に提供する通信サービスを特定するサービス識別情報とを関連付けて記憶するエリア情報記憶部と、前記ネットワークから受信した着信情報に、サービス識別情報が含まれているか否かを判断する判断部と、前記判断部が、前記着信情報に前記サービス識別情報が含まれていると判断した場合、前記エリア情報記憶部で前記サービス識別情報と関連付けられている前記セクタへ、前記着信情報を送信する通信処理部とを具備することを要旨とするものである。
【０００９】
かかる発明による移動通信システムによれば、着信情報を移動局に到達させる着信呼出処理において、着信情報が「サービス識別情報」を含んでいる場合、エリア情報記憶部で「サービス識別情報」に関連付けて記憶されているセクタに対してのみ着信情報を送信するように構成されているため、移動通信システムの無線リソース及び処理能力の効率向上を実現しつつ、移動局宛の着信情報を着信先の移動局へ確実に到達させることができる。
【００１０】
また、本発明の第１の特徴において、前記判断部が、前記着信情報に前記サービス識別情報が含まれていないと判断した場合、複数の前記セクタで形成され加入者識別情報に関連付けられているページングエリアへ、前記着信情報を送信する通信処理部とを具備してもよい。
【００１１】
かかる発明による移動通信システムは、着信情報が「サービス識別情報」が含まれていない場合には、従来の着信呼出処理と同様に、移動局が存在するページングエリアへ着信情報を送信するように構成されているので、移動局宛の着信情報を着信先の移動局へ確実に到達させることができる。
【００１２】
また、本発明の第１の特徴において、前記エリア情報記憶部は、一定期間通信が行われないセクタを削除しても良い。
【００１３】
かかる発明による移動通信システムは、一定期間、通信が行われないセクタにかかるレコードを、エリア情報記憶部から削除できるので、エリア情報記憶部の容量を効率よく使用することができる。
【００１４】
本発明の第２の特徴は、ネットワークから受信した着信情報に応じて、着信先の移動局に対する着信呼出処理を行う移動通信システムであって、前記移動局から、位置の登録要求を受けて、前記移動局が存在するセクタと前記移動局の加入者識別情報とを関連付けて記憶するエリア情報記憶部と、前記ネットワークから受信した着信情報に含まれる加入者識別情報が、前記エリア情報記憶部に記憶されているか否かを判断する判断部と、前記判断部が、前記エリア情報情報記憶部に前記加入者識別情報が記憶されていると判断した場合、前記エリア情報記憶部で前記加入者識別情報と関連付けられる前記セクタへ、前記着信情報を送信する通信処理部とを具備することを要旨とするものである。
【００１５】
かかる発明による移動通信システムによれば、移動局を識別する「加入者識別情報」を含んだ着信情報を移動局に到達させる着信呼出処理において、エリア情報記憶部で当該「加入者識別情報」と関連付けて記憶されているセクタに対してのみ着信情報を送信するように構成されているため、移動通信システムの無線リソース及び処理能力の効率向上を実現しつつ、移動局宛の着信情報を着信先の移動局へ確実に到達させることができる。
【００１６】
また、本発明の第２の特徴において、前記通信処理部は、前記判断部が、前記エリア情報情報記憶部に前記加入者識別情報が記憶されていないと判断した場合、複数の前記セクタで形成されるページングエリアへ、前記着信情報を送信してもよい。
【００１７】
かかる発明による移動通信システムは、エリア情報記憶部に「加入者識別情報」に関連付けてセクタを記憶していない場合には、従来の着信呼出処理と同様に、移動局が存在するページングエリアへ着信情報を送信するように構成されているので、移動局宛の着信情報を着信先の移動局へ確実に到達させることができる。
【００１８】
本発明の第３の特徴は、ネットワークから受信した着信情報に応じて、着信先の移動局に対する着信呼出処理を行う交換機であって、前記移動局が存在するセクタと当該移動局に提供する通信サービスを特定するサービス識別情報とを関連付けて記憶するエリア情報記憶部と、前記ネットワークから受信した着信情報に、サービス識別情報が含まれているか否かを判断する判断部と、前記判断部が、前記着信情報に前記サービス識別情報が含まれていると判断した場合、前記エリア情報記憶部で前記サービス識別情報と関連付けられている前記セクタへ、前記着信情報を送信する通信処理部とを具備することを要旨とする。
【００１９】
本発明の第４の特徴は、ネットワークから受信した着信情報に応じて、着信先の移動局に対する着信呼出処理を行う交換機であって、前記移動局から、位置の登録要求を受けて、前記移動局が存在するセクタと前記移動局の加入者識別情報とを関連付けて記憶するエリア情報記憶部と、前記ネットワークから受信した着信情報に含まれる加入者識別情報が、前記エリア情報記憶部に記憶されているか否かを判断する判断部と、
前記判断部が、前記エリア情報情報記憶部に前記加入者識別情報が記憶されていると判断した場合、前記エリア情報記憶部で前記加入者識別情報と関連付けられる前記セクタへ、前記着信情報を送信する通信処理部とを具備することを要旨とする。
【００２０】
本発明の第５の特徴は、ネットワークから受信した着信情報に応じて、着信先の移動局に対する着信呼出処理を行う無線制御装置であって、前記移動局が存在するセクタと当該移動局に提供する通信サービスを特定するサービス識別情報とを関連付けて記憶するエリア情報記憶部と、前記ネットワークから受信した着信情報に、サービス識別情報が含まれているか否かを判断する判断部と、前記判断部が、前記着信情報に前記サービス識別情報が含まれていると判断した場合、前記エリア情報記憶部で前記サービス識別情報と関連付けられている前記セクタへ、前記着信情報を送信する通信処理部とを具備することを要旨とする。
【００２１】
本発明の第６の特徴は、ネットワークから受信した着信情報に応じて、着信先の移動局に対する着信呼出処理を行う無線制御装置であって、前記移動局から、位置の登録要求を受けて、前記移動局が存在するセクタと前記移動局の加入者識別情報とを関連付けて記憶するエリア情報記憶部と、前記ネットワークから受信した着信情報に含まれる加入者識別情報が、前記エリア情報記憶部に記憶されているか否かを判断する判断部と、前記判断部が、前記エリア情報情報記憶部に前記加入者識別情報が記憶されていると判断した場合、前記エリア情報記憶部で前記加入者識別情報と関連付けられる前記セクタへ、前記着信情報を送信する通信処理部とを具備することを要旨とする。
【００２２】
本発明の第７の特徴は、ネットワークから受信した着信情報に応じて、着信先の移動局に対する着信呼出処理を行う移動通信方法であって、前記移動局から、当該移動局に提供する通信サービスに関するサービス識別情報を受けて、前記移動局が存在するセクタと前記サービス識別情報とを関連付けて記憶するエリア情報記憶ステップと、前記ネットワークから受信した着信情報に、サービス識別情報が含まれているか否かを判断する判断ステップと、前記判断部が、前記着信情報に前記サービス識別情報が含まれていると判断した場合、前記エリア情報記憶部で前記サービス識別情報と関連付けられている前記セクタへ、前記着信情報を送信する通信処理ステップとを備えることを特徴とする移動通信方法であることを要旨とする。
【発明の効果】
【００２３】
本発明のによれば、移動通信システムにおける着信呼出処理において、着信情報を送信するセル及びセクタを限定することにより、無線リソース及び処理能力の効率向上を実現しつつ、移動局宛の着信情報を確実に移動局に到達させることができる移動通信システム、交換機、無線制御装置、移動通信方法を提供することができる。
【発明を実施するための最良の形態】
【００２４】
[本発明の第1実施形態に係る移動通信システム]
（本発明の第1実施形態に係る移動通信システムの構成）
本発明の第１実施形態に係る移動通信システム1の構成について、図１乃至図４を参照して説明する。
【００２５】
図１は、本実施形態に係る移動通信システム1の全体構成を示す図である。
【００２６】
図１に示すように、かかる移動通信システム1は、加入者データベース10と、ネットワーク2及び加入者データベース10に接続されている交換機20と、交換機20に接続されている無線制御装置30と、無線制御局30に接続されている基地局40とを具備している。また、無線制御装置30は、基地局40を制御するように構成されている。さらに、基地局40は、配下のセクタに存在する移動局50と通信するように構成されている。
【００２７】
また、かかる移動通信システム1は、移動局50から送信されたエリア登録情報に基づいて、移動局50に提供される通信サービスを識別する「サービス識別情報」と、移動局50が存在するセクタを識別する「セクタ識別情報」と、当該セクタを管理している基地局40を識別する「基地局識別情報」と、基地局40を制御している無線制御装置30を識別する「無線制御装置識別情報」とを関連付けて記憶するエリア登録処理を実施するように構成されている。
【００２８】
また、かかる移動通信システム1は、エリア登録処理において、移動局50を識別する「加入者識別情報」と、移動局50が存在するページングエリアを識別する「ページングエリア識別情報」とを関連付けて記憶するように構成されている。
【００２９】
ここで、移動局50から送信されるエリア登録情報は、移動局50を識別する「加入者識別情報」と、移動局50に提供される通信サービスを識別する「サービス識別情報」と、移動局50が存在するページングエリアを識別する「ページングエリア識別情報」とを含んでいる。
【００３０】
また、かかる移動通信システム1は、図１に示すように、発信端末からネットワーク2を介して送信された移動局50宛の着信情報を、交換機20と無線制御装置30と基地局40とを介し、移動局50に対して送信する着信呼出処理を実施するように構成されている。
【００３１】
ここで、移動通信システム1に送信される移動局50宛の着信情報は、発信端末と移動局50との間の通信を開始させるため、移動局50へ送信される情報であり、移動局50を識別する「加入者識別情報」を含むとともに、移動局50に提供される通信サービスを識別する「サービス識別情報」を含む場合もある。
【００３２】
上記したエリア登録情報及び着信情報に含まれる「加入者識別情報」としては、例えば、移動局50の電話番号等が想定されている。
【００３３】
また、エリア登録情報及び着信情報に含まれる「サービス識別情報」は、移動局50に提供する通信サービスを識別する情報である。
【００３４】
本実施形態における当該通信サービスとしては、例えば、自動販売機や住宅の家電製品等の固定的な場所に備えられた移動局50のみに提供される通信サービスや、限定されたエリアに存在する移動局50に対してのみに提供される内線通信サービス等が想定されている。
【００３５】
また、当該通信サービスとしては、移動局50に提供される音声情報通信サービスや画像情報通信サービスやメール通信サービス等を想定してもよい。
【００３６】
図２は、本実施形態に係る移動通信システム1のブロック図である。
【００３７】
図２に示すように、加入者データベース10は、移動局50を識別する「加入者識別情報」と、移動局50が存在するページングエリアを識別する「ページングエリア識別情報」とを関連付けて記憶するように構成されている。
【００３８】
交換機20は、通信処理部21と、エリア情報記憶部22と、判断部23と、通信情報生成部24とを具備している。
【００３９】
通信処理部21は、ネットワーク2と、加入者データベース10と、配下の無線制御装置30の通信処理部31との間で通信を行うように構成されている。
【００４０】
エリア情報記憶部22は、例えば、図３に示すように、無線制御装置30を識別する「無線制御装置識別情報」と、当該無線制御装置30に提供する通信サービスを識別する「サービス識別情報」とを関連付けるレコードを記録する交換機エリア情報テーブルを記憶するように構成されている。
【００４１】
また、エリア情報記憶部22は、オペレータの入力操作によって、「サービス識別情報」と「無線制御装置識別情報」とを関連付けるレコードを当該交換機エリア情報テーブルに登録したり、削除したりするように構成されていてもよい。
【００４２】
判断部23は、ネットワーク2から送信された移動局50宛の着信情報に、「サービス識別情報」が含まれているか否かについて判断するとともに、判断した結果に基づいて、後述する通信情報生成部24で生成される着信情報を送信する無線制御装置30を特定するように構成されている。
【００４３】
具体的に、判断部23は、当該着信情報に「サービス識別情報」が含まれていると判断した場合、エリア情報記憶部22の交換機エリア情報テーブルを参照し、当該着信情報に含まれている「サービス識別情報」に関連付けられている「無線制御装置識別情報」に基づいて、当該着信情報を送信する無線制御装置30を特定するように構成されている。
【００４４】
さらに、判断部23は、当該着信情報に、「サービス識別情報」が含まれていないと判断した場合、通信処理部21を介して加入者データベース10を参照し、当該着信情報に含まれる「加入者識別情報」に関連付けられている「ページングエリア識別情報」に基づいて、後述する通信情報生成部24で生成される着信情報を送信するページングエリアを特定するように構成されている。ここで、具体的に、判断部23は、当該着信情報を送信する当該ページングエリア内の無線制御装置30を特定するように構成されている。
【００４５】
なお、エリア情報記憶部22は、判断部23によって参照される交換機エリア情報テーブルの「サービス識別情報」を監視し、一定期間、判断部23に参照されない「サービス識別情報」を含むレコードを、交換機エリア情報テーブルから削除するように構成されていてもよい。また、エリア情報記憶部22において、上述の一定期間は、一時間又は一日又は一週間又は一ヶ月又は一年間などでもよい。
【００４６】
通信情報生成部24は、交換機登録情報及び着信情報を生成するように構成されている。ここで、交換機登録情報は、移動局50に関するエリア登録処理において、交換機20から加入者データベース10へ送信される情報であり、移動局50を識別する「加入者識別情報」と、移動局50が存在するページングエリアを識別する「ページングエリア識別情報」とを含んでいる。また、通信情報生成部24で生成される着信情報は、移動局50に対する着信呼出処理において、交換機20から無線制御装置30へ送信される情報である。
【００４７】
また、通信情報生成部24は、ネットワーク2から送信される着信情報に移動局50に提供される通信サービスを識別する「サービス識別情報」が含まれている場合は、当該「サービス識別情報」と、移動局50を識別する「加入者識別情報」とを含む着信情報を生成し、ネットワーク2から送信される着信情報に移動局50に提供される通信サービスを識別する「サービス識別情報」が含まれていない場合は、移動局50を識別する「加入者識別情報」を含む着信情報を生成するように構成されている。
【００４８】
無線制御装置30は、通信処理部31と、エリア情報記憶部32と、判断部33と、通信情報生成部34とを具備している。
【００４９】
通信処理部31は、交換機20の通信処理部21と配下の基地局40との間で通信するように構成されている。
【００５０】
エリア情報記憶部32は、例えば、図4に示すように、「SAC（サービスエリアコード：Service Area Code）情報」と、移動局50に提供される通信サービスを識別する「サービス識別情報」とを関連付けるレコードを記録する無線制御装置エリア情報テーブルを記憶するように構成されている。ここで、「SAC情報」は、基地局40を識別する「基地局識別情報」と、基地局40の配下のセクタを識別する「セクタ識別情報」とを含んでいる。
【００５１】
また、エリア情報記憶部32は、オペレータの入力操作によって、「サービス識別情報」と「SAC情報」とを関連付けるレコードを当該無線制御装置エリア情報テーブルに登録したり、削除したりするように構成されていてもよい。
【００５２】
判断部33は、交換機20から送信された移動局50宛の着信情報に、「サービス識別情報」が含まれているか否かについて判断するとともに、判断した結果に基づいて、着信情報を送信する基地局40及びセクタを特定するように構成されている。
【００５３】
具体的に、判断部33は、当該着信情報に「サービス識別情報」が含まれていると判断した場合、エリア情報記憶部32の無線制御装置エリア情報テーブルを参照し、当該着信情報に含まれている「サービス識別情報」に関連付けられている「SAC情報」に基づいて、着信情報を送信する基地局40及びセクタを特定するように構成されている。
【００５４】
さらに、判断部33は、当該着信情報に「サービス識別情報」が含まれていないと判断した場合、配下の全ての基地局40及びセクタを、後述する通信情報生成部34で生成される着信情報を送信する基地局40及びセクタとして特定するように構成されている。
【００５５】
なお、エリア情報記憶部32は、判断部33によって参照される無線制御装置エリア情報テーブルの「サービス識別情報」を監視し、一定期間、判断部33に参照されない「サービス識別情報」を含むレコードを、無線制御装置エリア情報テーブルから削除するように構成されていてもよい。また、エリア情報記憶部32において、上述の一定期間は、一時間又は一日又は一週間又は一ヶ月又は一年間などでもよい。
【００５６】
通信情報生成部34は、無線制御装置登録情報及び着信情報を生成するように構成されている。ここで、通信情報生成部34で生成される無線制御装置登録情報は、移動局50に関するエリア登録処理において、無線制御装置30から交換機20へ送信される情報であり、移動局50を識別する「加入者識別情報」と、移動局50が存在するページングエリアを識別する「ページングエリア識別情報」と、移動局50に提供される通信サービスを識別する「サービス識別情報」とを含んでいる。
【００５７】
また、通信情報生成部34で生成される着信情報は、移動局50に対する着信呼出処理において、無線制御装置30から基地局50へ送信される情報であり、移動局50を識別する「加入者識別情報」を含んでいる。
【００５８】
基地局40は、無線制御装置30の通信処理部31及び配下のセクタに存在する移動局50との間で通信するように構成されている。
【００５９】
また、基地局40は、移動局50に関するエリア登録処理において、配下のセクタに存在する移動局50から送信されるエリア登録情報を受信し、無線制御装置30へ送信するように構成されている。
【００６０】
ここで、移動局50から送信されるエリア登録情報は、移動局50を識別する「加入者識別情報」と、移動局50に提供される通信サービスを識別する「サービス識別情報」と、移動局50が存在するページングエリアを識別する「ページングエリア識別情報」とを含んでいる。
【００６１】
また、基地局40は、移動局50に対する着信呼出処理において、無線制御装置30から移動局50宛の着信情報を受信し、無線制御装置30の制御に従って配下のセクタに存在する移動局50へ着信情報を送信するように構成されている。
【００６２】
（本発明の第１実施形態に係る移動通信システムの動作）
図５乃至図８を参照して、上記の構成を具備する移動通信システム1の動作について説明する。第１に、かかる移動通信システム1における移動局50に関するエリア登録処理の動作について、図５を参照しながら説明する。
【００６３】
図５は、移動局50から送信されるエリア登録情報に「サービス識別情報」を含む場合の例について示す。また、エリア登録情報に「サービス識別情報」を含まない場合の例については、従来のエリア登録処理と同様であるため、説明を省略する。
【００６４】
図５に示すように、ステップ101において、移動局50が、移動局50の「加入者識別情報」と、移動局50に提供される通信サービスを識別する「サービス識別情報」と、移動局50が存在するページングエリアを識別する「ページングエリア識別情報」とを含むエリア登録情報を送信し、基地局40が、当該エリア登録情報を受信する。
【００６５】
ステップ102において、基地局40が、受信したエリア登録情報を無線制御装置30へ送信し、無線制御装置30の通信処理部31が、当該エリア登録情報を受信する。
【００６６】
ステップ103において、無線制御装置30のエリア情報記憶部32は、通信処理部31で受信したエリア登録情報に含まれる「サービス識別情報」と、当該エリア登録情報を送信した基地局40及びセクタを識別する「SAC情報」とを関連付けて無線制御装置エリア情報テーブルに入力する。
【００６７】
また、無線制御装置30の通信情報生成部34は、通信処理部31で受信したエリア登録情報に含まれる移動局50を識別する「加入者識別情報」と、移動局50に提供される通信サービスを識別する「サービス識別情報」と、移動局50が存在するページングエリアを識別する「ページングエリア識別情報」とを含む無線制御装置登録情報を生成する。
【００６８】
ステップ104において、無線制御装置30の通信処理部31が、通信情報生成部34で生成された無線制御装置登録情報を交換機20へ送信し、交換機20の通信処理部21が、当該無線制御装置登録情報を受信する。
【００６９】
ステップ105において、交換機20のエリア情報記憶部22は、受信した無線制御装置登録情報に含まれる「サービス識別情報」と、当該無線制御装置登録情報を送信した無線制御装置30を識別する「無線制御装置識別情報」とを関連付けて交換機エリア情報テーブルへ入力する。
【００７０】
また、交換機20の通信情報生成部24は、移動局50を識別する「加入者識別情報」と、移動局50が存在するページングエリアを識別する「ページングエリア識別情報」とを含む交換機登録情報を生成する。
【００７１】
ステップ106において、交換機20の通信処理部21が、通信情報生成部24で生成された交換機登録情報を送信し、加入者データベース10が、当該交換機登録情報を受信する。
【００７２】
ステップ107において、加入者データベース10は、受信した交換機登録情報に含まれる移動局50を識別する「加入者識別情報」と、移動局50が存在するページングエリアを識別する「ページングエリア識別情報」とを関連付けて記憶する。
【００７３】
第２に、本実施形態に係る移動通信システム1の移動局50に対する着信呼出処理の動作について、図６を参照して説明する。図６は、ネットワーク2から送信される着信情報に、移動局50に提供される通信サービスを識別する「サービス識別情報」が含まれている場合を例に示している。
【００７４】
図６のステップ201において、ネットワーク2が、移動局50を識別する「加入者識別情報」と、移動局50に提供される通信サービスを識別する「サービス識別情報」とを含む着信情報を送信し、交換機20の通信処理部21が、当該着信情報を受信する。
【００７５】
ステップ202において、交換機20の判断部23は、通信処理部21で受信した着信情報に「サービス識別情報」が含まれているか否かについて判断し、判断した結果に基づいて、着信情報を送信する無線制御装置30を特定する。ここで、ステップ202における判断部23の具体的な動作について、図７のフローチャートを参照して説明する。
【００７６】
図７のステップａ1において、交換機20の判断部23は、通信処理部21で受信した着信情報に「サービス識別情報」が含まれているか否かについて判断する。
【００７７】
ここで、判断部23が、通信処理部21で受信した着信情報に「サービス識別情報」が含まれていると判断した場合、ステップａ2乃至ステップa3に進む。
【００７８】
ステップａ2において、通信情報生成部24は、判断部23において通信処理部21で受信した着信情報に「サービス識別情報」を含まれていると判断されると、当該着信情報に含まれる、移動局50を識別する「加入者識別情報」と、移動局50に提供される通信サービスを識別する「サービス識別情報」とを含む着信情報を生成する。
【００７９】
ステップａ3において、判断部23は、エリア情報記憶部22の交換機エリア情報テーブルを参照し、通信処理部21で受信した着信情報に含まれる「サービス識別情報」と関連付けられている「無線制御装置識別情報」に基づいて、通信情報生成部24で生成した着信情報を送信する無線制御装置30を特定する。
【００８０】
判断部23が、通信処理部21で受信した着信情報に「サービス識別情報」が含まれていないと判断した場合、ステップａ4乃至ステップa5に進む。
【００８１】
ステップａ4において、通信情報生成部24は、ステップａ1において判断部23が通信処理部21で受信した着信情報に「サービス識別情報」が含まれていないと判断すると、当該着信情報に含まれる移動局50を識別する「加入者識別情報」を含む着信情報を生成する。
【００８２】
ステップａ5において、判断部23は、通信処理部21を介して、加入者データベース10を参照し、通信処理部21で受信した着信情報に含まれる「加入者識別情報」と関連付けられている「ページングエリア識別情報」に基づいてページングエリアを特定し、当該ページングエリア内の無線制御装置30を着信情報の送信先として特定する。
【００８３】
図６のステップ203において、通信処理部21が、ステップａ3で特定した無線制御装置30へ、ステップａ2において通信情報生成部24で生成された着信情報を送信し、無線制御装置30の通信処理部31が、当該着信情報を受信する。
【００８４】
ここで、ステップａ1において、判断部23が着信情報に「サービス識別情報」が含まれていないと判断した場合、通信処理部21が、ステップａ5で特定した無線制御装置30へ、ステップａ4において通信情報生成部24で生成された着信情報を送信し、無線制御装置30の通信処理部31が、当該着信情報を受信する。
【００８５】
ステップ204において、無線制御装置30の通信情報生成部34は、通信処理部31で受信した着信情報に含まれる移動局50を識別する「加入者識別情報」を含む着信情報を生成する。
【００８６】
また、無線制御装置30の判断部33は、通信処理部31で受信した着信情報に「サービス識別情報」が含まれているか否かについて判断し、判断した結果に基づいて、通信情報生成部34で生成された着信情報を送信する基地局40及びセクタを特定する。ここで、ステップ204における判断部33の具体的な動作について、図８のフローチャートを参照して説明する。
【００８７】
図８のステップｂ1において、無線制御装置30の判断部33は、通信処理部31で受信した着信情報に「サービス識別情報」が含まれているか否かについて判断する。
【００８８】
ステップｂ2において、判断部33は、ステップｂ1において着信情報に「サービス識別情報」が含まれていると判断した場合、エリア情報記憶部32の無線制御装置エリア情報テーブルを参照し、通信処理部31で受信した着信情報に含まれる「サービス識別情報」と関連付けられる「SAC情報」に基づいて、通信情報生成部34で生成された着信情報を送信する基地局40及びセクタを特定する。
【００８９】
ステップｂ3において、判断部33は、ステップｂ1において着信情報に「サービス識別情報」が含まれていないと判断した場合、配下の全ての基地局40を、通信情報生成部34で生成された着信情報の送信先として特定する。
【００９０】
図６のステップ205において、無線制御装置30の通信処理部31は、通信情報生成部34で生成された着信情報をステップｂ2で特定した基地局40へ送信する。
【００９１】
ここで、ステップｂ1において、判断部33が通信処理部31で受信した着信情報に「サービス識別情報」が含まれていないと判断した場合、通信処理部31は、通信情報生成部34で生成した着信情報を、ステップｂ3において判断部32が特定した配下の全ての基地局40へ送信する。
【００９２】
ステップ206において、基地局40は、無線制御装置30から送信された着信情報を受信し、無線制御装置30の制御に従って、ステップｂ3で特定したセクタへ、当該着信情報を送信する。
【００９３】
ここで、ステップｂ1において、無線制御装置30の判断部33が着信情報に「サービス識別情報」が含まれていないと判断した場合、基地局40は、無線制御装置30の制御に従い、配下の全てのセクタへ、無線制御装置30から送信された着信情報を送信する。
【００９４】
ステップ207において、移動局50は、基地局40から着信情報を受信する。
【００９５】
（第１実施形態に係る移動通信システム1の作用・効果）
本発明の第１実施形態に係る移動通信システム1によれば、移動局50に関するエリア登録処理において、オペレータが関与することなく、移動局50に提供する通信サービスを識別する「サービス識別情報」と、移動局50が存在するセクタを識別する「セクタ識別情報」と、当該セクタを管理する基地局40を識別する「基地局識別情報」と、当該基地局40を制御する無線制御装置30を識別する「無線制御装置識別情報」とを関連付けて記憶することができる。
【００９６】
また、本実施形態に係る移動通信システム1によれば、移動局50に着信情報を到達させる着信呼出処理において、ネットワーク2から送信される着信情報に「サービス識別情報」が含まれている場合、交換機20のエリア情報記憶部24及び無線制御装置30のエリア情報記憶部34で「サービス識別情報」に関連付けて記憶されているセクタに対してのみ、移動局50宛の着信情報を送信するように構成されているため、移動通信システムの無線リソース及び処理能力の効率向上を実現しつつ、移動局50宛の着信情報を着信先の移動局50へ確実に到達させることができる。
【００９７】
また、本実施形態に係る移動通信システム1によれば、着信情報が「サービス識別情報」が含まれていない場合には、従来の着信呼出処理と同様に、移動局が存在するページングエリアへ着信情報を送信するように構成されているので、移動局50宛の着信情報を着信先の移動局へ確実に到達させることができる。
【００９８】
さらに、本実施形態に係る移動通信システム1によれば、一定期間、通信が行われないセクタにかかるレコードを、エリア情報記憶部から削除できるので、エリア情報記憶部の容量を効率よく使用することができる。
【００９９】
（変更例1）
図5、図6、を参照して、変更例1に係る移動通信システム1について、第１実施形態に係る移動通信システム1の構成及び動作との相違点に着目して説明する。
【０１００】
まず、本変更例1に係る移動通信システム1の構成について説明する。
【０１０１】
本変更例1に係る移動通信システム1は、第１実施形態に係る移動通信システム1の交換機20に設けられていたエリア情報記憶部22を具備しないように構成されている。
【０１０２】
また、交換機20の通信情報生成部24は、判断部23において、通信処理部21で受信した着信情報に「サービス識別情報」が含まれていると判断した場合は、当該着信情報に含まれる移動局50を識別する「加入者識別情報」と、「サービス識別情報」とを含む着信情報を生成するように構成されている。さらに、通信情報生成部24は、判断部23において、通信処理部21で受信した着信情報に「サービス識別情報」が含まれていないと判断した場合は、着信情報に含まれる移動局50を識別する「加入者識別情報」を含む着信情報を生成するように構成されている。
【０１０３】
また、交換機20の判断部23は、ネットワーク2から送信された移動局50宛の着信情報に「サービス識別情報」が含まれているか否かについての判断にかかわらず、通信処理部21を介して、加入者データベース10を参照し、着信情報に含まれる「加入者識別情報」と関連付けられている「ページングエリア識別情報」に基づいてページングエリアを特定し、当該ページングエリア内の無線制御装置30を当該着信情報の送信先として特定するように構成されている。
【０１０４】
次に、かかる移動通信システム1における移動局50に関するエリア登録処理の動作について、図5を参照して説明する。ここで、上記した構成の移動通信システム1は、交換機20のエリア情報記憶部22を具備していないため、第１実施形態に係る移動通信システム1のエリア登録処理において、エリア情報記憶部22により実施されていた「サービス識別情報」と「無線制御装置識別情報」とを交換機エリア情報テーブルへ入力する動作を行わない。
【０１０５】
したがって、本変更例1に係る移動通信システム1における移動局50に関するエリア登録処理の動作は、ステップ105の動作を除いて、第1実施形態に係る移動通信システム1における動作と同様である。以下に、本変更例1に係る移動通信システム1のステップ105の動作について説明する。
【０１０６】
ステップ105において、交換機20の通信情報生成部24は、通信処理部21が受信した無線制御装置登録情報に含まれる移動局50を識別する「加入者識別情報」と、移動局50が存在するページングエリアを識別する「ページングエリア識別情報」とを含む交換機登録情報を生成する。
【０１０７】
また、第1実施形態に係る移動通信システム1による交換機20のエリア情報記憶部22は、ステップ105において、受信した無線制御装置登録情報に含まれる「サービス識別情報」と、当該無線制御装置登録情報を送信した無線制御装置30を識別する「無線制御装置識別情報」とを関連付けて交換機エリア情報テーブルへ入力する動作を行うように構成されているが、本変更例1に係る移動通信システム1は、ステップ105において、かかる動作を行わない。
【０１０８】
次に、本変更例1に係る移動通信システム1の移動局50に対する着信呼出処理の動作について、図6を参照して説明する。
【０１０９】
ここで、上記した構成の移動通信システム1は、交換機20のエリア情報記憶部22を具備していないので、第１実施形態に係る移動通信システム1の着信呼出処理において、交換機20の判断部23により実施されていた交換機エリア情報テーブルを参照して着信情報を送信する無線制御装置30を特定する動作を行わないように構成されている。
【０１１０】
したがって、本変更例1における着信呼出処理の動作は、ステップ202及びステップ203の動作を除いて、第1実施形態に係る移動通信システム1の動作と同様である。以下に、本変更例1に係る移動通信システム1のステップ202及びステップ203の動作について説明する。
【０１１１】
ステップ202において、交換機20の判断部23は、通信処理部21で受信した着信情報に「サービス識別情報」が含まれているか否かについて判断する。
【０１１２】
また、交換機20の通信情報生成部24は、判断部23が、通信処理部21で受信した着信情報に「サービス識別情報」を含まれていると判断した場合は、当該着信情報に含まれる移動局50を識別する「加入者識別情報」と、移動局50に提供される通信サービスを識別する「サービス識別情報」とを含む着信情報を生成する。
【０１１３】
さらに、通信情報生成部24は、判断部23が、通信処理部21で受信した着信情報に「サービス識別情報」が含まれていないと判断した場合は、当該着信情報に含まれる移動局50を識別する「加入者識別情報」を含む着信情報を生成する。
【０１１４】
また、交換機20の判断部23は、通信処理部21を介して、加入者データベース10を参照し、着信情報に含まれる「加入者識別情報」と関連付けられている「ページングエリア識別情報」に基づいてページングエリアを特定し、当該ページングエリア内の無線制御装置30を、通信情報生成部24で生成した着信情報の送信先として特定する。
【０１１５】
ここで、第1実施形態に係る移動通信システム1の交換機20の判断部23は、ステップ202において、エリア情報記憶部22の交換機エリア情報テーブルを参照し、通信処理部21で受信した着信情報に含まれる「サービス識別情報」と関連付けられている「無線制御装置識別情報」に基づいて、通信情報生成部24で生成した着信情報を送信する無線制御装置30を特定していたが、変更例1に係る移動通信システム1は、ステップ202において、かかる動作を行わない。
【０１１６】
ステップ203において、通信処理部21が、ステップ202において判断部23で特定した無線制御装置30へ、ステップ202において通信情報生成部24で生成した着信情報を送信し、無線制御装置30の通信処理部31が、当該着信情報を受信する。
【０１１７】
以上より、本変更例1に係る移動通信システム1によれば、着信情報を移動局50に到達させる着信呼出処理において、着信情報に「サービス識別情報」が含まれている場合、エリア情報記憶部で「サービス識別情報」に関連付けて記憶しているセクタに対してのみ着信情報を送信するように構成されているため、移動通信システムの無線リソース及び処理能力の効率向上を実現しつつ、移動局50宛の着信情報を着信先の移動局へ確実に到達させることができる。
【０１１８】
また、本変更例1に係る移動通信システム1によれば、移動通信システム1における特定の無線制御装置30に本発明の機能を追加するだけで実施することが可能なので、容易に導入できる。
【０１１９】
（変更例2）
図5、図6、図9を参照して、変更例2に係る移動通信システム1について、第１実施形態に係る移動通信システム1の構成及び動作との相違点に着目して説明する。まず、本変更例2に係る移動通信システム1の構成について説明する。
【０１２０】
本変更例2に係る移動通信システム1は、第１実施形態に係る移動通信システム1の無線制御装置30に設けられていたエリア情報記憶部32を、具備しないように構成されている。
【０１２１】
また、交換機20のエリア情報記憶部22は、例えば図9に示すように、移動局50に提供する通信サービスを識別する「サービス識別情報」と、無線制御装置30を識別する「無線制御装置識別情報」と、基地局40とセクタを識別する「SAC情報」とを関連付けるレコードを記憶する交換機エリア情報テーブルを記憶するように構成されている。
【０１２２】
また、交換機20の通信情報生成部24は、移動局50に対する着信呼出処理において、移動局50を識別する「加入者識別情報」と、基地局40及びセクタを識別する「SAC情報」とを含む着信情報を生成するように構成されている。
【０１２３】
また、無線制御装置30の判断部33は、通信処理部31が受信した着信情報に、基地局40及びセクタを識別する「SAC情報」が含まれているか否かについて判断するように構成されている。さらに、判断部33は、通信処理部31で受信した着信情報に含まれる「SAC情報」に基づいて、着信情報を送信する基地局40及びセクタを特定するように構成されている。
【０１２４】
具体的に、判断部33は、通信処理部31が受信した着信情報に「ＳＡＣ情報」が含まれていると判断した場合、当該着信情報に含まれている「SAC情報」に基づいて、着信情報を送信する基地局40及びセクタを特定するように構成されている。
【０１２５】
さらに、判断部33は、通信処理部31が受信した着信情報に「ＳＡＣ情報」が含まれていないと判断した場合、配下の全ての基地局40及びセクタを、着信情報を送信する基地局40及びセクタとして特定するように構成されている。
【０１２６】
また、無線制御装置30の通信情報生成部34は、移動局50の「加入者識別情報」と、移動局50に提供する通信サービスを識別する「サービス識別情報」と、移動局50が存在するページングエリアを識別する「ページングエリア識別情報」と、基地局40とセクタを識別する「SAC情報」とを含む、無線制御装置登録情報を生成するように構成されている。
【０１２７】
次に、本変更例2に係る移動通信システム1における移動局50に関するエリア登録処理の動作について、図5を参照して説明する。
【０１２８】
ステップ101において、移動局50が、移動局50を識別する「加入者識別情報」と、移動局50に提供される通信サービスを識別する「サービス識別情報」と、移動局50の存在するページングエリアを識別する「ページングエリア識別情報」とを含むエリア登録情報を送信し、基地局40が、当該エリア登録情報を受信する。
【０１２９】
ステップ102において、基地局40が、受信したエリア登録情報を無線制御装置30へ送信し、無線制御装置30の通信処理部31が、当該エリア登録情報を受信する。
【０１３０】
ステップ103において、無線制御装置30の通信情報生成部34は、通信処理部31で受信したエリア登録情報に含まれる移動局50を識別する「加入者識別情報」と、移動局50に提供される通信サービスを識別する「サービス識別情報」と、移動局50の存在するページングエリアを識別する「ページングエリア識別情報」と、当該エリア登録情報を送信した基地局40及びセクタを識別する「SAC情報」とを含む無線制御装置登録情報を生成する。
【０１３１】
ステップ104において、無線制御装置30の通信処理部31が、ステップ103において通信情報生成部34で生成された無線制御装置登録情報を交換機20へ送信し、交換機20の通信処理部21が、当該無線制御装置登録情報を受信する。
【０１３２】
ここで、図５において、無線制御装置30から交換機20へ送信される無線制御装置登録情報に「ＳＡＣ情報」を表記していないが、本変更例2における当該無線制御装置登録情報には「ＳＡＣ情報」が含まれている。
【０１３３】
ステップ105において、交換機20のエリア情報記憶部22は、通信処理部21で受信した無線制御装置登録情報に含まれる移動局50に提供する通信サービスを識別する「サービス識別情報」と、移動局50が存在するページングエリアを識別する「ページングエリア識別情報」と、基地局40およびセクタを識別する「SAC情報」と、無線制御装置登録情報を送信した無線制御装置30を識別する「無線制御装置識別情報」とを関連付けて、交換機エリア情報テーブルに入力する。
【０１３４】
また、交換機20の通信情報生成部24は、受信した無線制御装置登録情報に含まれる移動局50を識別する「加入者識別情報」と移動局50が存在するページングエリアを識別する「ページングエリア識別情報」とを含む交換機登録情報を生成する。
【０１３５】
ステップ106において、交換機20の通信処理部21が、通信情報生成部24で生成した交換機登録情報を送信し、加入者データベース10が、当該交換機登録情報を受信する。
【０１３６】
ステップ107において、加入者データベース10は、受信した交換機登録情報に含まれる移動局50を識別する「加入者識別情報」と、移動局50が存在するページングエリアを識別する「ページングエリア識別情報」とを関連付けて記憶する。
【０１３７】
次に、本変更例2に係る移動通信システム1の移動局50に対する着信呼出処理の動作について、図６を参照して説明する。
【０１３８】
図６のステップ201において、ネットワーク2が、移動局50を識別する「加入者識別情報」と、移動局50に提供される通信サービスを識別する「サービス識別情報」とを含む着信情報を送信し、交換機20の通信処理部21が、当該着信情報を受信する。
【０１３９】
ステップ202において、交換機20の判断部23は、通信処理部21で受信した着信情報に「サービス識別情報」が含まれているか否かについて判断し、判断した結果に基づいて、当該着信情報を送信する無線制御装置30を特定する。
【０１４０】
具体的に判断部23は、通信処理部21で受信した着信情報に「サービス識別情報」が含まれていると判断すると、エリア情報記憶部22の交換機エリア情報テーブルを参照し、通信処理部21で受信した着信情報に含まれる「サービス識別情報」と関連付けられている「無線制御装置識別情報」に基づいて、後述する通信情報生成部24で生成される着信情報を送信する無線制御装置30を特定する。
【０１４１】
また、通信情報生成部24は、判断部23において、通信処理部21で受信した着信情報に「サービス識別情報」を含まれていると判断されると、交換機エリア情報テーブルを参照し、当該着信情報に含まれる「サービス識別情報」に関連付けられている「ＳＡＣ情報」と、当該着信情報に含まれる「加入者識別情報」とを含む着信情報を生成する。
【０１４２】
ここで、判断部23が、通信処理部21で受信した着信情報に「サービス識別情報」が含まれていないと判断した場合、第1実施形態に係る移動通信システム1と同様に、判断部23は、図７のステップａ５の動作を行い、通信情報生成部24は、図７のステップａ4の動作を行う。
【０１４３】
ステップ203において、通信処理部21が、通信情報生成部24で生成された着信情報を、ステップ202において判断部23が特定した無線制御装置30へ送信し、無線制御装置30の通信処理部31が、当該着信情報を受信する。
【０１４４】
ここで、図６において、交換機20から無線制御装置30へ送信される着信情報に「ＳＡＣ情報」を表記していないが、本実施形態における当該着信情報には、「ＳＡＣ情報」が含まれている。
【０１４５】
ステップ204において、無線制御装置30の通信情報生成部34は、通信処理部31で受信した着信情報に含まれる移動局50を識別する「加入者識別情報」を含む着信情報を生成する。
【０１４６】
また、判断部33は、通信処理部31で受信した着信情報に「ＳＡＣ情報」が含まれているか否かについて判断する。
【０１４７】
具体的に、判断部33は、通信処理部31で受信した着信情報に「ＳＡＣ情報」が含まれていると判断した場合、当該着信情報に含まれる「ＳＡＣ情報」に基づいて、通信情報生成部34で生成された着信情報を送信する基地局40及びセクタを特定する。
【０１４８】
また、判断部33は、通信処理部31で受信した着信情報に「ＳＡＣ情報」が含まれていないと判断した場合、配下の全ての基地局40を、通信情報生成部34で生成された着信情報を送信する基地局40として特定する。
【０１４９】
ステップ205において、無線制御装置30の通信処理部31は、ステップ204において判断部33が通信処理部31で受信した着信情報に「ＳＡＣ情報」が含まれていると判断した場合、通信情報生成部34で生成した着信情報を、ステップ204において判断部33が「SAC情報」に基づいて特定した基地局40へ送信する。
【０１５０】
また、通信処理部31は、ステップ204において判断部33が通信処理部31で受信した着信情報に「ＳＡＣ情報」が含まれていないと判断した場合、通信情報生成部34で生成された着信情報を、配下の全ての基地局40へ送信する。
【０１５１】
ステップ206において、基地局40は、ステップ204において判断部33が通信処理部31で受信した着信情報に「ＳＡＣ情報」が含まれていると判断した場合、無線制御装置30から送信された着信情報を受信し、無線制御装置30の制御に従って、ステップ204で判断部33が「SAC情報」に基づいて特定したセクタへ、当該着信情報を送信する。
【０１５２】
また、基地局40は、ステップ204において判断部33が、通信処理部31で受信した着信情報に「ＳＡＣ情報」を含まれていない判断した場合、無線制御装置30の制御に従い、配下の全てのセクタへ、無線制御装置30から送信された着信情報を送信する。
【０１５３】
ステップ207において、移動局50は、基地局40から着信情報を受信する。
【０１５４】
以上より、本変更例1に係る移動通信システム1によれば、移動通信システム1の特定の交換機20に本発明の機能を追加するだけで実施することが可能なので、容易に導入できる。
【０１５５】
また、本変更例1に係る移動通信システム1によれば、交換機20のエリア情報記憶部32で、「サービス識別情報」と「無線制御装置識別情報」と「基地局識別情報」と「セクタ情報」とを一元化して管理できるため、管理が容易になるとともに、着信呼出処理における無線リソース及び処理能力の効率向上を実現することができる。
【０１５６】
[本発明の第２実施形態に係る移動通信システム]
（本発明の第２実施形態に係る移動通信システムの構成）
本発明の第２実施形態に係る移動通信システム1の構成について、第１実施形態の説明で参照した図に加え図10乃至図15を参照し、第１実施形態に係る移動通信システム1の構成及び動作の相違点に着目して説明する。まず、本実施形態に係る移動通信システム1の構成について説明する。
【０１５７】
かかる移動通信システム1は、移動局50から送信されたエリア登録情報に基づいて、移動局50を識別する「加入者識別情報」と、移動局50が存在するセクタを識別する「セクタ識別情報」と、当該セクタを管理している基地局40を識別する「基地局識別情報」と、基地局40を制御している無線制御装置30を識別する「無線制御装置識別情報」とを関連付けて記憶するエリア登録処理を実施するように構成されている。
【０１５８】
ここで、移動局50から送信されるエリア登録情報は、移動局50を識別する「加入者識別情報」と、移動局50が存在するページングエリアを識別する「ページングエリア識別情報」とを含んでいる。
【０１５９】
また、本実施形態に係る移動通信システム1は、図１に示すように、発信端末からネットワーク2を介して送信された移動局50宛の着信情報を、交換機20と無線制御装置30と基地局40とを介し、移動局50に対して送信する着信呼出処理を実施するように構成されている。
【０１６０】
また、本実施形態に係る移動通信システム1の着信呼出処理において、発信端末からネットワーク2を介して移動通信システム1に送信される移動局50宛の着信情報は、移動局50を識別する「加入者識別情報」を含んでいる。図２は、本実施形態に係る移動通信システム1のブロック図である。
【０１６１】
図２に示す加入者データベース10は、第１実施形態に係る移動通信システム1における加入者データベース10と同様に構成されている。
【０１６２】
交換機20は、通信処理部21と、エリア情報記憶部22と、判断部23と、通信情報生成部24とを具備している。
【０１６３】
通信処理部21は、第１実施形態に係る移動通信システム1における通信処理部21と同様に構成されている。
【０１６４】
エリア情報記憶部22は、例えば、図10に示すように、無線制御装置30を識別する「無線制御装置識別情報」と、移動局50を識別する「加入者識別情報」とを関連付けるレコードを記録する交換機エリア情報テーブルを記憶するように構成されている。
【０１６５】
また、エリア情報記憶部22は、オペレータの入力操作によって「加入者識別情報」と「無線制御装置識別情報」とを関連付けるレコードを当該交換機エリア情報テーブルに登録したり、削除したりするように構成されていてもよい。
【０１６６】
判断部23は、ネットワーク2から送信された移動局50宛の着信情報に含まれる「加入者識別情報」が、エリア情報記憶部22の交換機エリア情報テーブルに記録されているか否かについて判断するとともに、判断した結果に基づいて、後述する通信情報生成部24で生成される着信情報を送信する無線制御装置30を特定するように構成されている。
【０１６７】
具体的に、判断部23は、ネットワーク2から送信された移動局50宛の着信情報に含まれる「加入者識別情報」が、エリア情報記憶部22の交換機エリア情報テーブルに記録されていると判断した場合、エリア情報記憶部22の交換機エリア情報テーブルを参照し、当該「加入者識別情報」に関連付けられている「無線制御装置識別情報」に基づいて、後述する通信情報生成部24で生成される着信情報を送信する無線制御装置30を特定するように構成されている。
【０１６８】
さらに、判断部23は、ネットワーク2から送信された移動局50宛の着信情報に含まれる「加入者識別情報」が、エリア情報記憶部22の交換機エリア情報テーブルに含まれていないと判断した場合、通信処理部21を介して加入者データベース10を参照し、当該着信情報に含まれる「加入者識別情報」に関連付けられている「ページングエリア識別情報」に基づいて、着信情報を送信するページングエリアを特定するように構成されている。ここで、具体的に、判断部23は、当該ページングエリア内の無線制御装置30を後述する通信情報生成部24で生成される着信情報の送信先として特定するように構成されている。
【０１６９】
なお、エリア情報記憶部22は、判断部23によって参照される交換機エリア情報テーブルの「加入者識別情報」を監視し、一定期間、判断部23に参照されない「加入者識別情報」を含むレコードを交換機エリア情報テーブルから削除するように構成されていてもよい。ここで、エリア情報記憶部22において、上述の一定期間は、一時間又は一日又は一週間又は一ヶ月又は一年間などでもよい。
【０１７０】
通信情報生成部24は、交換機登録情報及び着信情報を生成するように構成されている。ここで、通信情報生成部24で生成される交換機登録情報は、移動局50に関するエリア登録処理において、交換機20から加入者データベース10へ送信される情報であり、移動局50を識別する「加入者識別情報」と、移動局50が存在するページングエリアを識別する「ページングエリア識別情報」とを含んでいる。また、通信情報生成部24で生成される着信情報は、移動局50に対する着信呼出処理において、交換機20から無線制御装置30へ送信される情報であり、移動局50を識別する「加入者識別情報」を含んでいる。
【０１７１】
無線制御装置30は、通信処理部31と、エリア情報記憶部32と、判断部33と、通信情報生成部34とを具備している。
【０１７２】
通信処理部31は、第１実施形態に係る移動通信システム1における通信処理部31と同様に構成されている。
【０１７３】
エリア情報記憶部32は、例えば、図11に示すように、「SAC（サービスエリアコード：Service Area Code）情報」と、移動局50を識別する「加入者識別情報」とを関連付けるレコードを記録する無線制御装置エリア情報テーブルを記憶するように構成されている。
【０１７４】
また、エリア情報記憶部32は、オペレータの入力操作によって「加入者識別情報」と「SAC情報」とを関連付けるレコードを無線制御装置エリア情報テーブルに登録したり、削除したりするように構成されていてもよい。
【０１７５】
判断部33は、交換機20から送信された着信情報に含まれる「加入者識別情報」が、エリア情報記憶部32の交換機エリア情報テーブルに記録されているか否かについて判断するとともに、判断した結果に基づいて、着信情報を送信する基地局40及びセクタを特定するように構成されている。
【０１７６】
具体的に、判断部33は、交換機20から送信された移動局50宛の着信情報に含まれる「加入者識別情報」が、交換機エリア情報テーブルに記録されていると判断した場合、当該交換機エリア情報テーブルを参照し、当該「加入者識別情報」に関連付けられている「ＳＡＣ情報」に基づいて、後述する通信情報生成部24で生成される着信情報を送信する基地局40及びセクタを特定するように構成されている。
【０１７７】
さらに、判断部33は、交換機20から送信された移動局50宛の着信情報に含まれる「加入者識別情報」が、交換機エリア情報テーブルに含まれていないと判断した場合、配下の全ての基地局40及びセクタを、後述する通信情報生成部34で生成される着信情報を送信する基地局40及びセクタとして特定するように構成されている。
【０１７８】
なお、エリア情報記憶部32は、判断部33によって参照される交換機エリア情報テーブルの「加入者識別情報」を監視し、一定期間、判断部33に参照されない「加入者識別情報」を含むレコードを削除するように構成されていてもよい。ここで、エリア情報記憶部32において、上述の一定期間は、一時間又は一日又は一週間又は一ヶ月又は一年間などでもよい。
【０１７９】
通信情報生成部34は、無線制御装置登録情報及び着信情報を生成するように構成されている。通信情報生成部34で生成される無線制御装置登録情報は、移動局50に関するエリア登録処理において、無線制御装置30から交換機20へ送信される情報であり、移動局50を識別する「加入者識別情報」と、移動局50が存在するページングエリアを識別する「ページングエリア識別情報」とを含んでいる。
【０１８０】
また、通信情報生成部34で生成される着信情報は、移動局50に対する着信呼出処理において、無線制御装置30から基地局50へ送信される情報であり、移動局50を識別する「加入者識別情報」を含んでいる。
【０１８１】
基地局40は、第１実施形態に係る移動通信システム1における基地局40と同様に構成されている。
【０１８２】
（本発明の第２実施形態に係る移動通信システムの動作）
図12乃至図13を参照して、上記の構成を具備する移動通信システム1の動作について説明する。第１に、かかる移動通信システム1における移動局50に関するエリア登録処理について、図12を参照しながら説明する。
【０１８３】
図12に示すように、ステップ301において、移動局50が、移動局50を識別する「加入者識別情報」と、移動局50が存在するページングエリアを識別する「ページングエリア識別情報」とを含むエリア登録情報を送信し、基地局40が、当該エリア登録情報を受信する。
【０１８４】
ステップ302において、基地局40が、受信したエリア登録情報を無線制御装置30へ送信し、無線制御装置30の通信処理部31が、当該エリア登録情報を受信する。
【０１８５】
ステップ303において、無線制御装置30のエリア情報記憶部32は、通信処理部31で受信したエリア登録情報に含まれる「加入者識別情報」と、当該エリア登録情報を送信した基地局40及びセクタを識別する「SAC情報」とを関連付けて無線制御装置エリア情報テーブルに入力する。
【０１８６】
また、無線制御装置30の通信情報生成部34は、通信処理部31で受信したエリア登録情報に含まれる移動局50を識別する「加入者識別情報」と、移動局50が存在するページングエリアを識別する「ページングエリア識別情報」とを含む無線制御装置登録情報を生成する。
【０１８７】
ステップ304において、無線制御装置30の通信処理部31が、通信情報生成部34で生成された無線制御装置登録情報を交換機20へ送信し、交換機20の通信処理部21が、当該無線制御装置登録情報を受信する。
【０１８８】
ステップ305において、交換機20のエリア情報記憶部22は、受信した無線制御装置登録情報に含まれる、移動局50を識別する「加入者識別情報」と、当該無線制御装置登録情報を送信した無線制御装置30を識別する「無線制御装置識別情報」とを関連付けて交換機エリア情報テーブルへ入力する。
【０１８９】
また、交換機20の通信情報生成部24は、受信した無線制御装置登録情報に含まれる移動局50を識別する「加入者識別情報」と、移動局50が存在するページングエリアを識別する「ページングエリア識別情報」とを含む交換機登録情報を生成する。
【０１９０】
ステップ306において、交換機20の通信処理部21が、通信情報生成部24で生成された交換機登録情報を送信し、加入者データベース10が当該交換機登録情報を受信する。
【０１９１】
ステップ307において、加入者データベース10は、受信した交換機登録情報に含まれる移動局50を識別する「加入者識別情報」と、移動局50が存在するページングエリアを識別する「ページングエリア識別情報」とを関連付けて記憶する。
【０１９２】
第２に、本実施形態に係る移動通信システム1における移動局50に対する着信呼出処理の動作について、図13を参照して説明する。
【０１９３】
図13のステップ401において、交換機20の通信処理部21は、ネットワーク2から送信された、移動局50を識別する「加入者識別情報」を含む着信情報を受信する。
【０１９４】
また、通信情報生成部24は、通信処理部21で受信した着信情報に含まれる移動局50を識別する「加入者識別情報」を含む着信情報を生成する。
【０１９５】
ステップ402において、交換機20の判断部23は、通信処理部21で受信した着信情報に含まれる「加入者識別情報」が、エリア情報記憶部22の交換機エリア情報テーブルに記録されているか否かについて判断し、判断した結果に基づいて、通信情報生成部24で生成された着信情報を送信する無線制御装置30を特定する。ここで、ステップ402における判断部23の具体的な動作について、図14のフローチャートを参照して説明する。
【０１９６】
図14のステップｃ1において、判断部23は、通信処理部21で受信した着信情報に含まれる「加入者識別情報」が、エリア情報記憶部22の交換機エリア情報テーブルに記録されているか否かについて判断する。
【０１９７】
ステップｃ2において、判断部23は、通信処理部21で受信した着信情報に含まれる「加入者識別情報」が、エリア情報記憶部22の交換機エリア情報テーブルに含まれると判断すると、交換機エリア情報テーブルを参照して、移動局50を識別する「加入者識別情報」に関連付けられている「無線制御装置識別情報」に基づいて、通信情報生成部24で生成した着信情報を送信する無線制御装置30を特定する。
【０１９８】
ステップｃ3において、判断部23は、通信処理部21で受信した着信情報に含まれる「加入者識別情報」が、エリア情報記憶部22の交換機エリア情報テーブルに含まれていないと判断すると、通信処理部21を介して、加入者データベース10を参照し、当該着信情報に含まれる「加入者識別情報」と関連付けられている「ページングエリア識別情報」に基づいてページングエリアを特定し、当該ページングエリア内の無線制御装置30を、通信情報生成部24で生成した着信情報の送信先として特定する。
【０１９９】
図13のステップ403において、通信処理部21が、ステップｃ2で特定した無線制御装置30へ、ステップ401において通信情報生成部24で生成された着信情報を送信し、無線制御装置30の通信処理部31が当該着信情報を受信する。
【０２００】
ここで、ステップｃ1において判断部23が、通信処理部21で受信した着信情報に含まれる「加入者識別情報」がエリア情報記憶部22の交換機エリア情報テーブルに含まれていないと判断すると、通信処理部21が、ステップ401において通信情報生成部24で生成された着信情報を、ステップｃ3において判断部32が特定した無線制御装置30へ送信し、当該無線制御装置30の通信処理部31が、当該着信情報を受信する。
【０２０１】
ステップ404において、無線制御装置30の通信情報生成部34は、通信処理部31で受信した着信情報に含まれる移動局50を識別する「加入者識別情報」を含む着信情報を生成する。
【０２０２】
また、無線制御装置30の判断部33は、通信処理部31で受信した着信情報に含まれる「加入者識別情報」が、エリア情報記憶部32の無線制御装置エリア情報テーブルに記録されているか否かについて判断し、判断した結果に基づいて、通信情報生成部34で生成された着信情報を送信する基地局40及びセクタを特定する。ここで、ステップ404における判断部33の具体的な動作について、図15のフローチャートを参照して説明する。
【０２０３】
図15のステップｄ1において、判断部33は、通信処理部31で受信した着信情報に含まれる「加入者識別情報」が、エリア情報記憶部32の無線制御装置エリア情報テーブルに記録されているか否かについて判断する。
【０２０４】
ステップｄ2において、判断部33は、通信処理部31で受信した着信情報に含まれる「加入者識別情報」が、無線制御装置エリア情報テーブルに記録されていると判断すると、無線制御装置エリア情報テーブルを参照して、当該「加入者識別情報」に関連付けられている「ＳＡＣ情報」に基づいて、通信情報生成部24で生成した着信情報を送信する基地局40及びセクタを特定する。
【０２０５】
ステップｄ3において、判断部33は、通信処理部31で受信した着信情報に含まれる「加入者識別情報」が、無線制御装置エリア情報テーブルに記録されていないと判断すると、配下の全ての基地局40及びセクタを、通信情報生成部34で生成した着信情報を送信する基地局40及びセクタとして特定する。
【０２０６】
図13のステップ405において、無線制御装置30の通信処理部31は、通信情報生成部34で生成した着信情報をステップｄ2で特定した基地局40へ送信する。
【０２０７】
ここで、ステップｄ1において、無線制御装置30の判断部33が、通信処理部31で受信した着信情報に含まれる「加入者識別情報」が無線制御装置エリア情報テーブルに記録されていないと判断した場合、通信処理部31は、ステップｄ3で判断部33が特定した配下の全ての基地局40へ、通信情報生成部34で生成した着信情報を送信する。
【０２０８】
ステップ406において、基地局40は、無線制御装置30から送信された着信情報を受信し、無線制御装置30の制御に従って、ステップｄ2で特定したセクタへ、当該着信情報を送信する。
【０２０９】
ここで、ステップｄ1において、無線制御装置30の判断部33が、通信処理部31で受信した着信情報に含まれる「加入者識別情報」が無線制御装置エリア情報テーブルに記録されていないと判断した場合、基地局40は、無線制御装置30の制御に従い、ステップｄ3で判断部33が特定した配下の全てのセクタへ、無線制御装置30から送信された着信情報を送信する。
【０２１０】
ステップ407において、移動局50は、基地局40から送信された着信情報を受信する。
【０２１１】
（第２実施形態に係る移動通信システム1の作用・効果）
本発明の第２実施形態に係る移動通信システム1によれば、移動局50に関するエリア登録処理において、オペレータが関与することなく、移動局50を識別する「加入者識別情報」と、移動局50が存在するセクタを識別する「セクタ識別情報」と、当該セクタを管理する基地局40を識別する「基地局識別情報」と、当該基地局40を制御する無線制御装置30を識別する「無線制御装置識別情報」とを関連付けて記憶することができる。
【０２１２】
また、本実施形態に係る移動通信システム1によれば、移動局を識別する「加入者識別情報」を含んだ着信情報を移動局に到達させる着信呼出処理において、交換機20のエリア情報記憶部24及び無線制御装置30のエリア情報記憶部34で当該「加入者識別情報」と関連付けて記憶されているセクタに対してのみ着信情報を送信するように構成されているため、移動通信システムの無線リソース及び処理能力の効率向上を実現しつつ、移動局50宛の着信情報を着信先の移動局50へ確実に到達させることができる。
【０２１３】
さらに、本実施形態に係る移動通信システム1によれば、交換機20のエリア情報記憶部24及び無線制御装置30のエリア情報記憶部34において「加入者識別情報」が記憶されていない場合には、従来の着信呼出処理と同様に、移動局が存在するページングエリアへ着信情報を送信するように構成されているので、移動局50宛の着信情報を着信先の移動局へ確実に到達させることができる。
【０２１４】
（変更例1）
図12、図13を参照して、変更例1に係る移動通信システム1について、第２実施形態に係る移動通信システム1の構成及び動作の相違点に着目して説明する。まず、本変更例1に係る移動通信システム1の構成について説明する。
【０２１５】
本変更例1に係る移動通信システム1は、第２実施形態に係る移動通信システム1の交換機20に設けられていたエリア情報記憶部22を具備しないように構成されている。
【０２１６】
また、交換機20の判断部23は、第２実施形態に係る移動通信システム1において、ネットワーク2から送信された着信情報に含まれる「加入者識別情報」が、エリア情報記憶部22の交換機エリア情報テーブルに記録されているか否かについて判断するように構成されていたが、本変更例1において、判断するように構成されなくてよい。
【０２１７】
次に、かかる移動通信システム1における移動局50に関するエリア登録処理の動作について、図12を参照して説明する。ここで、上記した構成の移動通信システム1は、交換機20のエリア情報記憶部22を具備していないため、第２実施形態に係る移動通信システム1のエリア登録処理において、エリア情報記憶部22により実施されていた「加入者識別情報」と「無線制御装置識別情報」とを交換機エリア情報テーブルへ入力する動作を行わない。
【０２１８】
したがって、本実施形態に係る移動通信システム1における移動局50に関するエリア登録処理の動作は、ステップ305の動作を除いて、第２実施形態に係る移動通信システム1における動作と同様である。以下に、本変更例1に係る移動通信システム1のステップ305の動作について説明する。
【０２１９】
ステップ305において、交換機20の通信情報生成部24は、通信処理部21が受信した無線制御装置登録情報に含まれる移動局50を識別する「加入者識別情報」と、移動局50が存在するページングエリアを識別する「ページングエリア識別情報」とを含む交換機登録情報を生成する。
【０２２０】
また、第２実施形態に係る移動通信システム1による交換機20のエリア情報記憶部22は、ステップ305において、受信した無線制御装置登録情報に含まれる「加入者識別情報」と、当該無線制御装置登録情報を送信した無線制御装置30を識別する「無線制御装置識別情報」とを関連付けて交換機エリア情報テーブルへ入力する動作を行うが、本変更例1に係る移動通信システム1は、ステップ305において、かかる動作を行わない。
【０２２１】
次に、本変更例1に係る移動通信システム1の移動局50に対する着信呼出処理の動作について、図13を参照して説明する。
【０２２２】
ここで、上記した構成の移動通信システム1は、交換機20のエリア情報記憶部22を具備していないので、第２実施形態に係る移動通信システム1の着信呼出処理において、交換機20の判断部23により実施されていた交換機エリア情報テーブルを参照して着信情報を送信する無線制御装置30を特定する動作を行わない。
【０２２３】
したがって、本変更例1における着信呼出処理の動作は、ステップ402及びステップ403の動作を除いて、第２実施形態に係る移動通信システム1の動作と同様である。以下に、本変更例1に係る移動通信システム1のステップ402及びステップ403の動作について説明する。
【０２２４】
ステップ402において、判断部23は、通信処理部21を介して、加入者データベース10を参照し、通信処理部21で受信した着信情報に含まれる「加入者識別情報」と関連付けられている「ページングエリア識別情報」に基づいてページングエリアを特定する。また、判断部23は、当該ページングエリア内の無線制御装置30を、通信情報生成部24で生成された着信情報の送信先として特定する。
【０２２５】
ここで、第２実施形態に係る移動通信システム1の交換機20の判断部23は、ステップ402において、エリア情報記憶部22の交換機エリア情報テーブルを参照し、通信処理部21で受信した着信情報に含まれる「加入者識別情報」と関連付けられている「無線制御装置識別情報」に基づいて、通信情報生成部24で生成した着信情報を送信する無線制御装置30を特定する動作を行っていたが、本変更例1に係る移動通信システム1は、かかる動作を行わない。
【０２２６】
ステップ403において、通信処理部21が、通信情報生成部24で生成した着信情報を、ステップ402において判断部23で特定された無線制御装置30へ送信し、当該無線制御装置30の通信処理部31が、当該着信情報を受信する。
【０２２７】
以上より、本変更例1に係る移動通信システム1によれば、移動局50を識別する「加入者識別情報」を含んだ着信情報を移動局50に到達させる着信呼出処理において、無線制御装置30のエリア情報記憶部34で当該「加入者識別情報」と関連付けて記憶されているセクタに対してのみ着信情報を送信するように構成されているため、移動通信システム1の無線リソース及び処理能力の効率向上を実現しつつ、移動局50宛の着信情報を着信先の移動局50へ確実に到達させることができる。また、本変更例1に係る移動通信システム1によれば、移動通信システム1における特定の無線制御装置30に本発明の機能を追加するだけで実施することが可能なので、容易に導入できる。
【０２２８】
（変更例2）
図12、図13、図16を参照して、変更例2に係る移動通信システム1について、第２実施形態に係る移動通信システム1の構成及び動作の相違点に着目して説明する。
【０２２９】
まず、本変更例2に係る移動通信システム1の構成について説明する。
【０２３０】
本変更例2に係る移動通信システム1は、第２実施形態に係る移動通信システム1の無線制御装置30に設けられていたエリア情報記憶部32を、具備しないように構成されている。
【０２３１】
また、交換機20のエリア情報記憶部22は、例えば図16に示すように、「加入者識別情報」と「無線制御装置識別情報」と「SAC情報」とを関連付けるレコードを記録する交換機エリア情報テーブルを記憶するように構成されている。
【０２３２】
また、交換機20の通信情報生成部24は、移動局50に対する着信呼出処理において、移動局50を識別する「加入者識別情報」と、基地局40及びセクタを識別する「SAC情報」とを含む着信情報を生成するように構成されている。
【０２３３】
また、無線制御装置30の判断部33は、通信処理部31が受信した着信情報に、基地局40及びセクタを識別する「SAC情報」が含まれているか否かについて判断するように構成されている。
【０２３４】
さらに、判断部33は、通信処理部31で受信した着信情報に含まれる「SAC情報」に基づいて、着信情報を送信する基地局40及びセクタを特定するように構成されている。
【０２３５】
具体的に、判断部33は、通信処理部31が受信した着信情報に「ＳＡＣ情報」が含まれていると判断した場合、当該着信情報に含まれている「SAC情報」に基づいて、通信情報生成部34で生成される着信情報を送信する基地局40及びセクタを特定するように構成されている。
【０２３６】
さらに、判断部33は、通信処理部31が受信した着信情報に「ＳＡＣ情報」が含まれていないと判断した場合、配下の全ての基地局40及びセクタを、通信情報生成部34で生成される着信情報を送信する基地局40及びセクタとして特定するように構成されている。
【０２３７】
また、無線制御装置30の通信情報生成部34は、移動局50の「加入者識別情報」と、移動局50が存在するページングエリアを識別する「ページングエリア識別情報」と、基地局40及びセクタを識別する「SAC情報」とを含む、無線制御装置登録情報を生成するように構成されている。
【０２３８】
次に、本変更例2に係る移動通信システム1における移動局50に関するエリア登録処理の動作について、図12を参照して説明する。
【０２３９】
ステップ301において、移動局50が、移動局50を識別する「加入者識別情報」と、移動局50の存在するページングエリアを識別する「ページングエリア識別情報」とを含むエリア登録情報を送信し、基地局40が、当該エリア登録情報を受信する。
【０２４０】
ステップ302において、基地局40が、受信したエリア登録情報を無線制御装置30へ送信し、無線制御装置30の通信処理部31が、当該エリア登録情報を受信する。
【０２４１】
ステップ303において、無線制御装置30の通信情報生成部34は、通信処理部31で受信したエリア登録情報に含まれる移動局50を識別する「加入者識別情報」と、移動局50の存在するページングエリアを識別する「ページングエリア識別情報」と、当該エリア登録情報を送信した基地局40及びセクタを識別する「SAC情報」とを含む無線制御装置登録情報を生成する。
【０２４２】
ステップ304において、無線制御装置30の通信処理部31が、ステップ303において通信情報生成部34で生成された無線制御装置登録情報を交換機20へ送信し、交換機20の通信処理部21が当該無線制御装置登録情報を受信する。ここで、図12において、無線制御装置30から交換機20へ送信される無線制御装置登録情報に「ＳＡＣ情報」を表記していないが、本実施形態における無線制御装置登録情報には、「ＳＡＣ情報」が含まれている。
【０２４３】
ステップ305において、交換機20のエリア情報記憶部22は、通信処理部21で受信した無線制御装置登録情報に含まれる移動局50を識別する「加入者識別情報」と、当該無線制御装置登録情報を送信した無線制御装置30を識別する「無線制御装置識別情報」と、基地局40及びセクタを識別する「SAC情報」とを関連付けて、交換機エリア情報テーブルに入力する。
【０２４４】
また、交換機20の通信情報生成部24は、受信した無線制御装置登録情報に含まれる移動局50を識別する「加入者識別情報」と、移動局50が存在するページングエリアを識別する「ページングエリア識別情報」とを含む交換機登録情報を生成する。
【０２４５】
ステップ306において、交換機20の通信処理部21が、通信情報生成部24で生成した交換機登録情報を送信し、加入者データベース10が当該交換機登録情報を受信する。
【０２４６】
ステップ307において、交換機登録情報を受信した加入者データベース10は、第２実施形態と同様の動作を行う。
【０２４７】
次に、本変更例2に係る移動通信システム1の移動局50に対する着信呼出処理の動作について、図13を参照して説明する。
【０２４８】
図13のステップ401において、ネットワーク2が、移動局50を識別する「加入者識別情報」を含む着信情報を送信し、交換機20の通信処理部21が、当該着信情報を受信する。
【０２４９】
ステップ402において、交換機20の判断部23は、通信処理部21で受信した着信情報に含まれる「加入者識別情報」が、エリア情報記憶部22の交換機エリア情報テーブルに記録されているか否かについて判断し、判断した結果に基づいて、着信情報を送信する無線制御装置30を特定する。
【０２５０】
具体的に判断部23は、通信処理部21で受信した着信情報に含まれる「加入者識別情報」が、エリア情報記憶部22の交換機エリア情報テーブルに記録されていると判断すると、エリア情報記憶部22の交換機エリア情報テーブルを参照し、通信処理部21で受信した着信情報に含まれる「加入者識別情報」と関連付けられている「無線制御装置識別情報」に基づいて、後述する通信情報生成部24で生成される着信情報を送信する無線制御装置30を特定する。
【０２５１】
ここで、判断部23は、通信処理部21で受信した着信情報に含まれる「加入者識別情報」が、エリア情報記憶部22の交換機エリア情報テーブルに含まれていないと判断した場合、判断部23は、第２実施形態に係る移動通信システム1と同様に図14のステップｃ3の動作を行う。
【０２５２】
また、通信情報生成部24は、判断部23において、通信処理部21で受信した着信情報に含まれる「加入者識別情報」が、交換機エリア情報テーブルに記録されていると判断されると、交換機エリア情報テーブルを参照し、当該着信情報に含まれる「加入者識別情報」に関連付けられている「ＳＡＣ情報」と、当該着信情報に含まれる「加入者識別情報」とを含む着信情報を生成する。
【０２５３】
また、通信情報生成部24は、判断部23において、通信処理部21で受信した着信情報に含まれる「加入者識別情報」が、交換機エリア情報テーブルに記録されていないと判断されると、当該着信情報に含まれる「加入者識別情報」を含む着信情報を生成する。
【０２５４】
ステップ403において、通信処理部21が、通信情報生成部24で生成された着信情報を、ステップ402において判断部23が特定した無線制御装置30へ送信し、無線制御装置30の通信処理部31が、当該着信情報を受信する。
【０２５５】
ここで、図13において、交換機20から無線制御装置30へ送信される着信情報に「ＳＡＣ情報」を表記していないが、本実施形態における当該着信情報には、「ＳＡＣ情報」が含まれている。
【０２５６】
ステップ404において、無線制御装置30の通信情報生成部34は、通信処理部31で受信した着信情報に含まれる移動局50を識別する「加入者識別情報」を含む着信情報を生成する。
【０２５７】
また、判断部33は、通信処理部31で受信した着信情報に「ＳＡＣ情報」が含まれているか否かについて判断し、判断した結果に基づいて、通信情報生成部34で生成した着信情報を送信する基地局40及びセクタを特定する。
【０２５８】
具体的に判断部33は、通信処理部31で受信した着信情報に「ＳＡＣ情報」が含まれていると判断した場合、当該着信情報に含まれる「ＳＡＣ情報」に基づいて、通信情報生成部34で生成された着信情報を送信する基地局40及びセクタを特定する。
【０２５９】
また、判断部33は、通信処理部31で受信した着信情報に「ＳＡＣ情報」が含まれていないと判断した場合、配下の全ての基地局40を、通信情報生成部34で生成された着信情報の送信先として特定する。
【０２６０】
ステップ405において、無線制御装置30の通信処理部31は、ステップ404において判断部33が通信処理部31で受信した着信情報に「ＳＡＣ情報」が含まれていると判断した場合、ステップ404において判断部33が「SAC情報」に基づいて特定した基地局40へ、通信情報生成部34で生成した着信情報を送信する。
【０２６１】
また、通信処理部31は、ステップ404において判断部33が通信処理部31で受信した着信情報に「ＳＡＣ情報」が含まれていないと判断した場合、通信情報生成部34で生成された着信情報を配下の全ての基地局へ送信する。
【０２６２】
ステップ406において、基地局40は、ステップ404において判断部33が通信処理部31で受信した着信情報に「ＳＡＣ情報」が含まれていると判断した場合、無線制御装置30から送信された着信情報を受信し、無線制御装置30の制御に従って、ステップ404で判断部33が「SAC情報」に基づいて特定したセクタへ、当該着信情報を送信する。また、基地局40は、ステップ404において判断部33が、通信処理部31で受信した着信情報に「ＳＡＣ情報」が含まれていないと判断した場合、無線制御装置30の制御に従い、配下の全てのセクタへ、無線制御装置30から送信された着信情報を送信する。
【０２６３】
ステップ407において、移動局50は、基地局40から着信情報を受信する。
【０２６４】
以上より、本変更例2に係る移動通信システム1によれば、移動通信システム1の特定の交換機20に本発明の機能を追加するだけで実施することが可能なので、容易に導入することができる。また、本変更例2に係る移動通信システム1によれば、交換機20のエリア情報記憶部22で、「ＳＡＣ情報」と「無線制御装置識別情報」と「基地局識別情報」と「セクタ識別情報」とを一元化して管理できるため、管理が容易になるとともに、移動局50に対する着信呼出処理における無線リソース及び処理能力の効率向上を実現することができる。
【図面の簡単な説明】
【０２６５】
【図１】第１実施形態および第２実施形態に係る移動通信システムの全体構成図である。
【図２】第１実施形態および第２実施形態に係る移動通信システムを示すブロック図である。
【図３】第１実施形態に係る交換機エリア情報テーブルを示す図である。
【図４】第１実施形態に係る無線制御装置エリア情報テーブルを示す図である。
【図５】第１実施形態に係る移動通信システムのエリア登録処理を示すシーケンス図である。
【図６】第１実施形態に係る移動通信システムの着信呼出処理を示すシーケンス図である。
【図７】第１実施形態に係る移動通信システムの着信呼出処理における交換機の動作を示すフローチャートである。
【図８】第１実施形態に係る移動通信システムの着信呼出処理における無線制御装置の動作を示すフローチャートである。
【図９】第１実施形態の変更例２に係る交換機エリア情報テーブルを示す図である。
【図１０】第２実施形態に係る交換機エリア情報テーブルを示す図である。
【図１１】第２実施形態に係る無線制御装置エリア情報テーブルを示す図である。
【図１２】第２実施形態に係る移動通信システムのエリア登録処理を示すシーケンス図である。
【図１３】第２実施形態に係る移動通信システムの着信呼出処理を示すシーケンス図である。
【図１４】第２実施形態に係る移動通信システムの着信呼出処理における交換機の動作を示すフローチャートである。
【図１５】第２実施形態に係る移動通信システムの着信呼出処理における無線制御装置の動作を示すフローチャートである。
【図１６】第２実施形態の変更例２に係る交換機エリア情報テーブルを示す図である。
【図１７】従来技術における移動通信システムの全体構成を示す全体構成図である。
【符号の説明】
【０２６６】
1…移動通信システム、2…ネットワーク、10…加入者データベース、20…交換機、21…通信処理部、22…エリア情報記憶部、23…判断部、24…通信情報生成部、30…無線制御装置、31…通信処理部、32…エリア情報記憶部、33…判断部、34…通信情報生成部、40…基地局、50…移動局、ｃ1…セル、＃1…セクタ
【図１】
2007082142.tif 000003
【図２】
2007082142.tif 000004
【図３】
2007082142.tif 000005
【図４】
2007082142.tif 000006
【図５】
2007082142.tif 000007
【図６】
2007082142.tif 000008
【図７】
2007082142.tif 000009
【図８】
2007082142.tif 000010
【図９】
2007082142.tif 000011
【図１０】
2007082142.tif 000012
【図１１】
2007082142.tif 000013
【図１２】
2007082142.tif 000014
【図１３】
2007082142.tif 000015
【図１４】
2007082142.tif 000016
【図１５】
2007082142.tif 000017
【図１６】
2007082142.tif 000018
【図１７】
2007082142.tif 000019